(57)【要約】  【課題】  ステープル処理の有無を精度よく判断できる安価な原稿搬送装置、およびそれを備えた画像読取装置を提供する。  【解決手段】  載置された原稿を搬送する原稿給紙ローラー５８ｂと、回動可能な搬送異常検知部１１と、この搬送異常検知部１１の回動位置を検知するフォトセンサー２１と、制御部１０とを備えるようにする。そして、搬送異常検知部１１は、搬送された原稿と接触した場合、一方向に回転し、フォトセンサー２１は、一方向に回転した搬送異常検知部１１の回動位置を受光部２１ｂでの受光・遮光をもって、搬送異常検知部１１の不動または回動を検知する。そして、制御部１０は、フォトセンサー２１による搬送異常検知部１１の不動または回動の結果から、原稿搬送の正常または異常を判断する。【選択図】      図１
2006206231.tif 000002
【特許請求の範囲】
【請求項１】
原稿を読み取らせるために、原稿給紙トレイに積み重なって載置された原稿を搬送する原稿搬送装置において、
少なくとも、
積重されている上層の原稿を搬送させることで、順次、原稿を分離搬送させる搬送部と、
変動可能な搬送異常検知部と、
この搬送異常検知部の変動位置を検知する位置検知センサーと、
制御部と、
を含むように構成されており、
上記搬送異常検知部は、搬送された上記原稿と接触した場合、変動するようになっており、
上記位置検知センサーは、上記の変動した搬送異常検知部の位置を検知することで、上記搬送異常検知部の不動または変動を検知し、
上記制御部は、上記位置検知センサーによる上記搬送異常検知部の不動または変動の結果から、原稿搬送の正常または異常を判断するようになっていることを特徴とする原稿搬送装置。
【請求項２】
上記搬送異常検出部は、回動可能に設けられており、
この搬送異常検知部は、搬送された上記原稿と接触した場合、一方向に回転するように変動し、
上記位置検知センサーは、上記の一方向に回転した搬送異常検知部の回動位置を検知することで、上記搬送異常検知部の不動または回動を検知するようになっていることを特徴とする請求項１に記載の原稿搬送装置。
【請求項３】
上記搬送異常検知部において、原稿と接触する部分である接触体は、上記原稿の搬送方向に対する垂直方向に、並ぶように複数設けられていることを特徴とする請求項１または２に記載の原稿搬送装置。
【請求項４】
上記接触体の回動方向面と、上記の搬送される原稿面とが直交関係にあることを特徴とする請求項２または３に記載の原稿搬送装置。
【請求項５】
上記の制御部は、上記位置検知センサーの検知結果から原稿搬送の異常と判断した場合、上記搬送部の駆動を停止させるようになっていることを特徴とする請求項１〜４のいずれか１項に記載の原稿搬送装置。
【請求項６】
請求項１〜５のいずれか１項に記載の原稿搬送装置と、この原稿搬送装置によって搬送された原稿を読み取る読取部とを備えた画像読取装置。
【発明の詳細な説明】
【技術分野】
【０００１】
本発明は、画像形成装置等に備えられている画像読取装置や、この画像読取装置に原稿等を読み込ませるために原稿を搬送させる原稿搬送装置に関するものである。
【背景技術】
【０００２】
原稿等を読み込ませて、原稿データを取得する画像読取装置（原稿読取装置）には、多量の原稿を搬送可能にした原稿搬送装置が搭載されている場合が多い。
【０００３】
このような原稿搬送装置の原稿給紙トレイ上に載置される原稿には、ステープル等の綴じ処理（ステープル処理）を施されているものがある。そして、このような綴じられた原稿の束（原稿束）を原稿搬送装置によって搬送させようとした場合、原稿そのものが破れてしまったり、その破れた原稿が原稿搬送装置内に入り込み、その原稿搬送装置自体の破損につながったりしてしまう。
【０００４】
かかるように事態を回避すべく、例えば特許文献１の原稿搬送装置では、ステープルを検知する手段を設けるようにしている。具体的には、金属検知センサーを原稿搬送装置に取り付け、原稿にステープル処理が施されているか否かを判断するようになっている。
【特許文献１】特開平８−１１３３８７号公報（請求項１等参照）
【発明の開示】
【発明が解決しようとする課題】
【０００５】
しかしながら、特許文献１の原稿搬送装置では、高価な金属センサーを使用しているため、原稿搬送装置のコストＵＰにつながるという問題が生じる。
【０００６】
また、原稿において、ステープルの施されている箇所は様々であり、金属センサーの配設位置に必ずステープルが施されているとは限らない。つまり、ステープル処理の施されている原稿であっても、ステープルを検知可能な位置に金属センサーが配設されていなければ、搬送原稿に対するステープル処理の有無を判断できない。したがって、特許文献１の原稿搬送装置におけるステープル処理の判断精度は低いものとなっている。
【０００７】
本発明は、上記の問題点を解決するためになされたものであって、その目的は、ステープル処理の有無を精度よく判断できる安価な原稿搬送装置、およびそれを備えた画像読取装置を提供することを目的とする。
【課題を解決するための手段】
【０００８】
本発明は、原稿を読み取らせるために、原稿給紙トレイに積み重なって載置された原稿を搬送する原稿搬送装置であって、少なくとも、積重されている上層の原稿のみを接触搬送等させることで、順次、原稿を分離搬送させる搬送部と、変動可能な搬送異常検知部と、この搬送異常検知部の変動位置を検知する位置検知センサーと、制御部と、を含むように構成されており、上記搬送異常検知部は、搬送された上記原稿と接触した場合、変動するようになっており、上記位置検知センサーは、上記の変動した搬送異常検知部の位置を検知することで、上記搬送異常検知部の不動または変動を検知し、上記制御部は、上記位置検知センサーによる上記搬送異常検知部の不動または変動の結果から、原稿搬送の正常または異常を判断するようになっていることを特徴としている。
【０００９】
具体的には、上記搬送異常検出部は、回動可能に設けられており、この搬送異常検知部は、搬送された上記原稿と接触した場合、一方向に回転するように変動し、上記位置検知センサーは、上記の一方向に回転した搬送異常検知部の回動位置を検知することで、上記搬送異常検知部の不動または回動を検知するようになっている。そして、上記制御部は、上記位置検知センサーによる上記搬送異常検知部の不動または回動の結果から、原稿搬送の正常または異常を判断するようになっている。
【００１０】
例えば、ステープル等で綴じ処理（ステープル処理）を施した複数枚からなる原稿束を搬送した場合、最初（１枚目）の原稿が、搬送部によって搬送されたとしても、一体化された次の（２枚目の）原稿が原稿給紙トレイに残存する。そのため、最初の原稿が原稿給紙トレイ上に残存するようになる。
【００１１】
したがって、１枚目の原稿には、搬送方向への力（搬送力）と、この搬送方向に対向する原稿給紙トレイ上に残存しようとする力（残存力）とが生じることになる。すると、これらの相反する搬送力と残存力とに起因して、１枚目の原稿が撓むようになる。
【００１２】
そこで、本発明の原稿搬送装置は、この撓みを利用して、原稿と搬送異常検知部とを接触させる。さらに、この接触に起因させて、搬送異常検知部を回転等（変動）させるようにしている。そして、位置検知センサーは、この回転した搬送異常検知部の回動位置の変化を検知するようになっている。
【００１３】
すると、位置検知センサーが搬送異常検知部の回動位置変化を検知したことをもって、搬送異常による原稿の撓みが生じたものと規定しておけば、本発明の原稿搬送装置は、従来のような高価な金属センサー等を用いることなく、原稿搬送の異常を検知できることになる。
【００１４】
また、本発明の原稿搬送装置では、この原稿の撓みを利用して、原稿搬送の異常を検知するようになっている。したがって、ステープルの位置に依存することなく、複数枚の原稿が一体化（連結）することに起因して、原稿搬送の異常を検知できる。そのため、原稿搬送異常をもたらすステープル処理の判断精度は極めて高いものになる。
【００１５】
なお、上記搬送部には、上記原稿が重送された場合に、最下に位置する原稿を押止させる押止体、および、最上に位置する原稿のみを接触させて送り出す接触搬送体から成る捌きユニットが設けられている。そのため、上述したような、ステープル処理を施した複数枚（例えば２枚）からなる原稿束を搬送した場合、最初の原稿（１枚目；つまり上層に位置する原稿）のみが、搬送部によって搬送（接触搬送等）される一方、一体化された次の原稿（２枚目；つまり下層に位置する原稿）は、押止体によって停止され、原稿給紙トレイに残存するようになっている。
【００１６】
また、本発明の原稿搬送装置では、搬送異常検知部において、原稿と接触する部分である接触体が、原稿の搬送方向に対する垂直方向に、並ぶように複数設けられていることが好ましい。
【００１７】
これによると、原稿において一部分でも撓みが生じると、その一部分を複数ある接触体のうちの１つが接触すればよいことになる。そのため、原稿の撓み、ひいては原稿搬送の異常を効率よく検知できるようになる。
【００１８】
また、本発明の原稿搬送装置では、上記接触体の回動方向面と、上記の搬送される原稿面とが直交関係にあることが好ましい。
【００１９】
これによると、原稿の撓みが、効率よく接触体に伝達されるようになる。その結果、本発明の原稿搬送装置は、精度よく、原稿搬送の異常を検知できるようになる。
【００２０】
また、本発明の原稿搬送装置では、上記の制御部は、上記位置検知センサーの検知結果から原稿搬送の異常と判断した場合、上記搬送部の駆動を停止させるようになっていることが好ましい。
【００２１】
これによると、原稿搬送に異常が生じた場合、さらなる原稿の巻き込み等を防止できる。
【００２２】
なお、上述した原稿搬送装置と、この原稿搬送装置によって搬送された原稿を読み取る読取部とを備えた画像読取装置、さらには画像形成装置であっても、上述してきた効果を発揮することはいうまでもない。
【発明の効果】
【００２３】
本発明の原稿搬送装置は、従来のような高価な金属センサー等を用いることなく、原稿搬送の異常を検知できる。その上、原稿の撓みを利用して原稿搬送の異常を検知しているので、ステープル等が原稿のどの位置に取り付けられていても、原稿異常を検知することができる。
【発明を実施するための最良の形態】
【００２４】
［実施の形態１］
本発明の実施の一形態について、図面に基づいて説明すれば、以下の通りである。
【００２５】
〔画像形成装置の構成について〕
図２は、本発明の原稿搬送ユニット（原稿搬送装置）９３およびそれを搭載した画像読取装置９１、そして、この画像読取装置９１を搭載した画像形成装置９９の外観斜視図である。図３は、画像形成装置９９の概略構成図である。
【００２６】
なお、図３では、紙面の表側が原稿搬送ユニット９３や、画像読取装置９１・画像形成装置６９の手前側（フロント側）とし、紙面の裏側が奥側（リア側）とする。
【００２７】
図２・図３に示す画像形成装置９９は、原稿を読み取る画像読取装置９１と、読み取った原稿等のデータから画像を書き込む画像書込装置９４とを含むように構成されている。
【００２８】
〈画像読取装置の構成について〉
画像読取装置９１は、画像読取ユニット（読取部）９２と原稿搬送ユニット（原稿搬送装置）９３とから構成されている。
【００２９】
《画像読取ユニットの構成について》
画像読取ユニット９２は、図３に示すように、原稿を載置するコンタクトガラス４１、光を照射する冷極陰管４２、冷極陰管４２からの光をコンタクトガラス４１上の原稿へと導く反射板４３、原稿の反射光（原稿反射光）をレンズ集合部４５（後述）に導くミラー群４４、ミラー群４４からの原稿反射光を集光するレンズ集合部４５、および、レンズ集合部４５を通過した光（原稿反射光）を受光して電気信号（画像データ）に変換する固体撮像部４６を含む構成となっている。
【００３０】
《原稿搬送ユニットの構成について》
原稿搬送ユニット９３は、原稿給紙トレイ部（原稿給紙トレイ）５１、原稿幅合わせ部５２、原稿搬送カバー部５５、原稿排紙トレイ部５６、および原稿押さえ部５７を含むように構成されている。
【００３１】
原稿給紙トレイ部５１は、供給される原稿が例えば積み重なって載置（積重載置）されるトレイであり、原稿搬送カバー部５５から突きでるように設けられている（突設されている）。
【００３２】
原稿幅合わせ部５２は、原稿給紙トレイ部５１に載置された原稿の幅を整えるものである。具体的には、原稿給紙トレイ部５１上で、外側から内側・内側から外側（図２の矢印Ｘ・矢印Ｙ参照）に往復移動可能な原稿挟持部５３・５３から構成されている。
【００３３】
なお、原稿挟持部５３・５３は、互いに近づき合う（矢印Ｘ参照）、あるいは互いに離間するように（矢印Ｙ参照）、移動可能となっており、この移動によって、様々なサイズの原稿の幅を整えることができるようになっている。
【００３４】
原稿搬送カバー部５５は、原稿給紙トレイ部５１と、コンタクトガラス４１における原稿読み取り位置Ｅの上方に位置し、原稿給紙トレイ部５１から供給される原稿を保護するものである。
【００３５】
原稿排紙トレイ部５６は、読み取られた原稿が排出されるトレイであり、原稿搬送カバー部５５の側方かつ原稿押さえ部５７の上面の一部に直付けで形成されている。
【００３６】
原稿押さえ部５７は、原稿を押さえつけるものである。なお、原稿給紙トレイ部５１から原稿搬送カバー部５５内を経て原稿排紙トレイ部５６にいたる原稿搬送路はＷと表記している。
【００３７】
なお、原稿搬送カバー部５５内には、原稿を最初に引き込むための原稿ピックアップローラー（搬送部）５８ａ、原稿を原稿レジストローラー対５８ｄにまで搬送する原稿給紙ローラー（接触搬送体；搬送部）５８ｂ、原稿給紙ローラー５８ｂで１枚ずつ原稿を搬送させるために、下層の原稿を摩擦押止させる分離パッド（押止体；搬送部）５８ｃ、原稿読取位置Ｅに到達させる原稿の搬送タイミングを調整する原稿レジストローラー対（搬送部）５８ｄ、原稿読取位置にて原稿を押さえつける原稿押圧部（搬送部）５８ｅ、および、読み取られた原稿を原稿排紙トレイ部５６へと排出させる原稿排出ローラー対（搬送部）５８ｆが設けられている。
【００３８】
なお、原稿が重送された場合（例えば２枚の原稿が重送された場合）、下側（例えば最下）に位置する原稿を分離パッド５８ｃが押止する一方、上側（例えば最上）に位置する原稿のみを原稿給紙送ローラー５８ｂが接触させて送り出すようになっている。そのため、原稿が複数あったとしても、１枚ずつに捌かれて搬送されるようになっている。したがって、原稿給紙送ローラー５８ｂ・分離パッド５８ｃを捌きユニットと表現してもよい。
【００３９】
また、原稿搬送カバー部５５における原稿搬送路Ｗには、原稿の存否を検知するための複数のセンサーが適所に設けられている。例えば、原稿給紙トレイ部５１の中央部等には原稿検知センサーｓ１が、原稿給紙ローラー５８ｂの下流側には給紙センサーｓ２が、原稿排出ローラー対５８ｆの下流側には排出センサーｓ３が、それぞれ設けられている。
【００４０】
〈画像書込装置の構成について〉
画像書込装置９４は、画像読取装置９１の下部に設けられている。そして、放電する帯電部６１、帯電部６１の放電により表面を帯電させる感光体６２、画像読取装置９１で読み取った原稿データ（画像データ）に応じて光線（レーザー光線等）を発し、感光体６２に静電潜像を形成させるＬＳＵ（レーザースキャニングユニット）６３、静電潜像にトナーを付着させる現像部６４、トナーの付着した感光体６２のトナー像を、シートカセット６５から搬送部６６に流れるシートへと転写させる転写部６７、シート上に転写されたトナー像を定着させる定着装置６８、および定着したシートを排出する排出ローラー対６９等が配設されている。
【００４１】
なお、画像書込装置９４・画像読取装置９１のいずれかの内部には、制御部１０が設けられている。この制御部１０は、画像書込装置９４や、画像読取装置９１（例えば原稿給紙ローラー５８ｂ）等における種々の駆動部、印刷条件等を制御するものである。
【００４２】
〔原稿搬送ユニットにおける搬送異常検知部の構成について〕
図４を用いて、原稿搬送ユニット９３（図２・図３参照）、特に搬送異常検知部１１の構成を説明する。なお、図４は、図３の領域αを拡大した構成図となっている。また、図５は、この図４を上方からみた構成図となっている。なお、図５では、原稿ピックアップローラー５８ａは、便宜上、省略している。
【００４３】
この図４・図５に示すように、原稿搬送ユニット９３には、搬送異常検知部１１が設けられるようになっている。この搬送異常検知部１１は、回動軸１２と、この回動軸１２に装着された原稿接触体（接触体）１３・遮光体１４とから構成されている。
【００４４】
回動軸１２は、原稿搬送ユニット９３の奥側から手前側に至る方向で設けられており、その軸方向は、原稿搬送方向に対して垂直方向となっている。そして、原稿搬送ユニット９３内部の壁面等で、回動可能に支えられるようになっている（軸支されるようになっている）。
【００４５】
また、この回動軸１２は、原稿給紙ローラー５８ｂよりも、原稿搬送方向における搬送先側（下流側）に配設されるようになっている。
【００４６】
原稿接触体１３は、図４に示すように、ひらがなの「く」の字（くの字形状）となっており、その端部（取り付け端１３ａ）が回動軸１２に取り付けられるようになっている。
【００４７】
具体的には、原稿接触体１３を回動軸１２に取り付けたとき、取り付け端１３ａと自由端になっている他端１３ｂとを結ぶ仮想線Ｌが、回動軸１２の軸方向に対して垂直になっている（直交するようになっている）。そして、くの字形状における折り曲げ端１３ｃ（具体的には突起した側の折り曲げ端１３ｃ）が、シート側に向き、かつ仮想線Ｌ（図５参照）と鉛直方向で重なるように位置している。
【００４８】
なお、この原稿接触体１３（特に自由端１３ｂ）は、原稿の搬送方向における元側（搬送元側；上流側）に向くように設けられるようになっている。つまり、原稿接触体１３は、原稿給紙トレイ部５１に近づく側に設けられるようになっている。その上、原稿接触体１３は、原稿の搬送方向に対して垂直方向で、かつ並ぶように（具体的には、回動軸１２上に並ぶように）複数設けられるようになっている。
【００４９】
遮光体１４は、回動軸１２の軸方向に対して垂直方向に突起（突出）するように設けられている。具体的に、遮光体１４は、原稿接触体１３の取り付け位置に対して、対向する側の回動軸１２の部分に設けられるようになっている。つまり、この遮光体１４は、原稿の搬送方向における先側（搬送先側）に向くようにして、回動軸１２上に設けられるようになっている。
【００５０】
そして、この遮光体１４は、発光部２１ａとこの発光部２１ａからの光線を受光する受光部２１ｂとから成るフォトセンサー（ＰＩセンサー）２１の検知判断に利用されるようになっている。
【００５１】
〔制御部について〕
ここで、原稿搬送中に、フォトセンサー（位置検知センサー）２１を利用して、制御部１０が搬送異常（ＪＡＭ）の有無を検知判断する点について詳説する。
【００５２】
例えば、図６に示すように、原稿給紙トレイ部５１に載置された原稿が、ステープル処理等を施されていない原稿束である場合、原稿ピックアップローラー５８ａによって、原稿束における最上部の１枚目の原稿が原稿給紙ローラー５８ｂに向けて引き込まれるようになる。
【００５３】
そして、引き込まれた１枚ものの原稿（１枚目の原稿）は、原稿給紙ローラー５８ｂによって、搬送される。このとき１枚ものの原稿は、スムーズに（滑らかに）原稿給紙ローラー５８ｂを経て、次の段階に進むようになっている。
【００５４】
そのため、搬送異常検知部１１の一部である原稿接触体１３と原稿とは接触し得ない。そのため、搬送異常検知部１１は回動軸１２に基づいて回動しない。すると、図６に示すように、遮光体１４は、フォトセンサー２１における発光部２１ａ・受光部２１ｂの間に介在し、発光部２１ａの光線を受光部２１ｂに到達させないようにしている。
【００５５】
そこで、制御部１０は、原稿搬送中に、フォトセンサー２１で光線を受光できない旨の信号（搬送異常検知部１１の不動を示す不動信号）を受信することで、原稿搬送に異常が生じていないものと判断するようになっている。
【００５６】
一方、図１に示すように、原稿給紙トレイ部５１に載置された原稿が、ステープルＳＴによって綴じ処理（ステープル処理）されている原稿束である場合、上記同様、まず、原稿ピックアップローラー５８ａによって、原稿束における最上部の１枚目の原稿が原稿給紙ローラー５８ｂに向けて引き込まれるようになる。
【００５７】
しかしながら、引き込まれた１枚目の原稿は、ステープルＳＴを介して、２枚目の原稿とつながっている。そのため、原稿給紙トレイ部５１に残る２枚目の原稿のために、１枚目の原稿は、原稿給紙ローラー５８ｂによって完全には搬送されない。その結果、１枚目の原稿は撓むようになる。
【００５８】
すると、この撓んだ１枚目の原稿は、原稿接触体１３と接触するようになる。具体的には、１枚目の原稿の撓む力（撓み力）によって、原稿接触体１３が付勢されるようになる。そのため、原稿接触体１３は回動軸１２を中心にして矢印Ｐ方向（一方向）に回転（変動）するようになる。
【００５９】
そのため、遮光体１４も同様に、矢印Ｐ方向に回転する。つまり、フォトセンサー２１から離間するように回転する。すると、図１に示すように、遮光体１４はフォトセンサー２１における発光部２１ａ・受光部２１ｂの間から消失し、発光部２１ａの光線は受光部２１ｂに到達するようになる。
【００６０】
そこで、制御部１０は、原稿搬送中に、フォトセンサー２１で光線を受光した旨の信号（搬送異常検知部１１の回動を示す回動信号）を受信することで、原稿搬送に異常が生じたものと判断するようになっている。
【００６１】
〔本発明の種々の特徴について〕
以上のように、本発明は、原稿を読み取らせるために、原稿給紙トレイ部５１に載置された原稿を搬送する原稿搬送ユニットであって、載置された原稿を搬送する原稿給紙ローラー５８ｂと、回動可能な搬送異常検知部１１と、この搬送異常検知部１１の回動位置を検知するフォトセンサー２１と、制御部１０と、を備えている。
【００６２】
そして、搬送異常検知部１１（具体的には原稿接触体１３）は、搬送された原稿と接触した場合、一方向（例えば矢印Ｐ方向；図１参照）に回転するようになっている。また、フォトセンサー２１は、一方向に回転した搬送異常検知部１１の回動位置を受光部２１ｂでの受光・遮光をもって、搬送異常検知部１１の不動または回動を検知するようになっている。
【００６３】
さらに、制御部１０は、フォトセンサー２１による搬送異常検知部１１の不動または回動の結果（上述の不動信号または回動信号）から、原稿搬送の正常または異常を判断するようになっている。
【００６４】
このような本発明の原稿搬送装置９３によると、従来のような高価な金属センサー等を用いることなく、原稿搬送の異常を検知できる。また、ステープルＳＴが原稿のどの位置に取り付けられていても、原稿異常を検知することができる。
【００６５】
なぜなら、複数枚の原稿が一体化しているために、最初（１枚目）の原稿が、原稿給紙ローラー５８ｂによって搬送されたとしても、一体化された次の（２枚目の）原稿が原稿給紙トレイ部５１に残存するようになる。そのため、１枚目の原稿には、搬送方向への力（搬送力）と、この搬送方向に対向する原稿給紙トレイ部５１上に残存しょうとする力（残存力）とが生じることになる。すると、これらの相反する搬送力と残存力とに起因して、１枚目の原稿が撓むようになる。
【００６６】
そして、本発明の原稿搬送ユニット９３では、この撓みを利用して、原稿搬送の異常を検知するようになっている。したがって、ステープルＳＴの位置に依存することなく、複数枚の原稿が一体化（連結）することに起因して、原稿搬送の異常を検知できる。そのため、原稿搬送異常をもたらすステープル処理の判断精度は極めて高いものになる。
【００６７】
なお、本発明の原稿搬送ユニット９３では、搬送異常検知部１１において、原稿と接触する部分である原稿接触体１３は、原稿の搬送方向に対する垂直方向に、並ぶように複数設けられている。そのため、原稿において一部分でも撓みが生じると、それを検知できるようになっている。
【００６８】
また、原稿接触体１３の回動方向面（図５の仮想線Ｌが回動方向面を上方から示している）と、搬送される原稿の表面（原稿面）とが直交関係となるようにしている。このようにしておけば、原稿の撓みが、効率よく原稿接触体１３に伝達されるようになる。その結果、本発明の原稿搬送ユニット９３は、精度よく、原稿搬送の異常を検知できるようになっている。
【００６９】
〔その他の実施の形態〕
なお、本発明は上記の実施の形態に限定されず、本発明の趣旨を逸脱しない範囲で、種々の変更が可能である。例えば、図７・図８に示すように、搬送異常検知部１１における回動軸１２を原稿給紙ローラー５８ｂよりも、原稿搬送方向における搬送元側（上流側）に配設されるようにしてもよい。
【００７０】
そして、このように、搬送元側に近づけて回動軸１２を設けた場合、例えば原稿接触体１３（特に自由端１３ｂ）は、原稿の搬送方向における搬送先側（下流側）に向くように設けることが好ましい。
【００７１】
このようにしておけば、図９に示すように、原稿搬送に異常が生じた場合、遮光体１４を設けることなく、原稿接触体１３でフォトセンサー２１の光線の遮光・受光を制御できるためである。
【００７２】
つまり、原稿接触体１３が一方向（矢印Ｑ方向）に回転すると、フォトセンサー２１から離間するようになっている。
【００７３】
したがって、上述してきた図１等の遮光体１４を備えた原稿搬送ユニット９３でも、図１０・図１１のように、フォトセンサー２１を回動軸１２よりも、原稿搬送方向における搬送元側に配設されるようにしておけば、遮光体１４を備えなくともよい。なお、図１０は、ステープル処理等を施されていない原稿束を搬送する状態を示し、図１１は、ステープル処理の施された原稿束を搬送する状態を示している。
【００７４】
また、本発明の原稿搬送ユニット９３を制御する制御部１０は、フォトセンサー２１の検知結果から原稿搬送の異常と判断した場合、原稿給紙ローラー５８ｂ等の駆動を停止させるようになっている。これによると、原稿搬送異常が生じた場合、さらなる原稿の巻き込みを防止できる。
【００７５】
また、上述の説明では、原稿は、原稿給紙ローラー５８ｂ・分離パッド５８ｃからなる捌きユニットによって、一枚ずつ分離搬送されているものを例に挙げて説明してきたが、これに限定されるものではない。例えば、分離搬送のために、接触搬送以外の搬送方法も考えられる（例えば、１枚目の原稿のみを吸引させて搬送させる吸引搬送等）。
【００７６】
本発明では、要は、搬送される原稿が搬送異常検知部１１に接触することをもって、ステープル処理等された原稿がスムーズに搬送されていないことを制御部１０が判断できればよい。したがって、原稿の搬送方式等は特に限定されない。
【産業上の利用可能性】
【００７７】
本発明は、例えば画像読取装置や画像形成装置に用いられる原稿搬送装置に有用である。
【図面の簡単な説明】
【００７８】
【図１】本発明の原稿搬送装置における搬送異常検知部を示し、原稿搬送異常の生じた場合を示す説明図である。
【図２】本発明の原稿搬送装置・画像読取装置を備えた画像形成装置の外観斜視図である。
【図３】本発明の原稿搬送装置、特に搬送異常検知部の構成を説明した概略構成図である。
【図４】図３の領域αを部分的に拡大した構成図である。
【図５】図４を上方からみた構成図である。
【図６】原稿給紙トレイ部に載置された原稿がステープル処理等を施されていない原稿束である場合での、原稿の搬送状態を示す説明図である。
【図７】図４の他の一例を示す構成図である。
【図８】図７を上方からみた構成図である。
【図９】図４・図７の他の一例を示す構成図である。
【図１０】図６の他の一例を示めす説明図である。
【図１１】図１の他の一例を示めす説明図である。
【符号の説明】
【００７９】
１０    制御部
１１    搬送異常検知部
１２    回動軸（搬送異常検知部）
１３    原稿接触体（接触体、搬送異常検知部）
１３ａ  取り付け端（接触体）
１３ｂ  自由端（接触体）
１３ｃ  折り曲げ端（接触体）
１４    遮光体（搬送異常検知部）
２１    フォトセンサー（位置検知センサー）
５１    原稿給紙トレイ部（原稿給紙トレイ）
５８ａ  原稿ピックアップローラー（搬送部）
５８ｂ  原稿給紙ローラー（搬送部）
５８ｃ  分離パッド（搬送部）
５８ｄ  原稿レジストローラー対（搬送部）
５８ｅ  原稿押圧部（搬送部）
５８ｆ  原稿排出ローラー対（搬送部）
Ｐ    回動方向（一方向）
Ｑ    回動方向（一方向）
ＳＴ    ステープル
【図１】
2006206231.tif 000003
【図２】
2006206231.tif 000004
【図３】
2006206231.tif 000005
【図４】
2006206231.tif 000006
【図５】
2006206231.tif 000007
【図６】
2006206231.tif 000008
【図７】
2006206231.tif 000009
【図８】
2006206231.tif 000010
【図９】
2006206231.tif 000011
【図１０】
2006206231.tif 000012
【図１１】
2006206231.tif 000013